(57)【要約】【課題】コストが低い配送伝票セットを提供する。【解決手段】配送伝票セットは、片面に透明な粘着剤層１０Ａを備えた透明な粘着シート１０と、この粘着シート１０にて荷物２０に貼り付けられる配送伝票３０とを備えてなる。配送伝票３０には、これをほぼ同形の３片に切断分割するためのミシン目（切断可能線）３１，３１が形成されている。粘着シート１０は、透明な樹脂製で、これと同サイズの剥離シート４０に剥離可能に粘着されている。粘着シート１０には、その片方の側辺寄りの位置にこの側辺に沿った開封用のミシン目（切断可能線）１１が形成されている。【選択図】図１２
2006224663.tif 000002
【特許請求の範囲】
【請求項１】
宛名記載部が切断可能線によって切断分割可能にされた配送伝票と、
この配送伝票を前記宛名記載部が表側となるように折りたたんで荷物上に載置された状態で前記配送伝票を挟むように前記荷物上に重ねられ、前記宛名記載部を目視可能な透光性を有し、かつ、前記荷物側の面に設けられた粘着剤層によって前記荷物の外表面に前記配送伝票と共に貼り付けられる粘着シートと、
この粘着シートに形成され前記荷物に貼り付けられた粘着シートの下から前記配送伝票を前記切断可能線から切断分離して取り出し可能にする開封用切断可能線又は開封用スリットとを備えていることを特徴とする配送伝票セット。
【請求項２】
前記粘着シートには、剥離シートが剥離可能に粘着されており、前記剥離シートには、これを複数片に分断し、これら複数片のうち少なくとも１片を剥離することで前記粘着シートの前記粘着剤層を部分的に露出可能な切れ目が形成されており、
前記粘着シートは、その裏面に部分的に前記剥離シートを残存させた状態で前記配送伝票と粘着されることを特徴とする請求項１に記載の配送伝票セット。
【請求項３】
前記剥離シートは透光性を有し、前記配送伝票の前記宛名記載部と重なる位置を残すことが可能なように前記切れ目が形成されていることを特徴とする請求項２に記載の配送伝票セット。
【請求項４】
前記粘着シートの開封用切断可能線又は開封用スリットは、前記粘着シートのうち、裏面に部分的に前記剥離シートを残存させる領域内に形成されていることを特徴とする請求項２又は請求項３に記載の配送伝票セット。
【請求項５】
前記粘着シートには、一端が前記開封用切断可能線又は開封用スリットの延長上に位置する切れ目によりその一部を前記荷物から浮き上がり状態にすることが可能な摘み部が形成されていることを特徴とする請求項１ないし請求項４のいずれかに記載の配送伝票セット。
【請求項６】
前記剥離シートには、前記摘み部に対応する領域を含んで前記配送伝票の一側縁に沿って延びる帯状の領域を囲むループ状切れ目が形成されており、そのループ状切れ目のうちの少なくとも一部が前記粘着シートの前記開封用切断可能線に連なっていることを特徴とする請求項２ないし請求項５のいずれかに記載の配送伝票セット。
【請求項７】
前記剥離シートに形成された前記帯状領域を囲むループ状切れ目は、前記配送伝票の一側縁側の一辺において外側に張り出して形成されていることを特徴とする請求項６に記載の配送伝票セット。
【請求項８】
前記剥離シートには、前記帯状領域に並行する帯状のマスクテープを前記帯状領域に連なった形で前記粘着シートに残存させるための切れ目が形成されていることを特徴とする請求項６又は請求項７に記載の配送伝票セット。
【請求項９】
前記宛名記載部の前記粘着シートが粘着される領域には、前記粘着剤層からの剥離及び再粘着を許容するための剥離剤が塗布されていることを特徴とする請求項１ないし請求項８のいずれかに記載の配送伝票セット。
【発明の詳細な説明】
【技術分野】
【０００１】
本発明は、配送伝票セットに関する。
【背景技術】
【０００２】
配送伝票は、荷物に貼り付けて使用されるものであるが、配送伝票セットとして例えば図４１に示す配送伝票１００と封筒１０３からなるものが知られている（例えば特許文献１参照）。
【０００３】
配送伝票１００は、一枚のシートからなり、上段には控え部１００Ａ、中段には着払い伝票部１００Ｂ、下段には受領印部１００Ｃ及び宛名部１００Ｄが設けられている。そして、上中下段はミシン目により切断分離可能とされており、さらに下段は受領印部１００Ｃと宛名部１００Ｄがミシン目により切断分離可能とされている。
【０００４】
一方、封筒１０３は、矩形状の透明フィルムと矩形状の紙とを上下縁部及び一側縁部の３縁部で接着し袋状としたものである。
【０００５】
この配送伝票セットは、以下のようにして使用される。すなわち、図４２に示すように、まず、配送伝票１００から上段の控え部１００Ａを切断分離する。次に中段と下段の境界で山折りする。そして、図４３に示すように、宛名部１００Ｄが上側となるようにして、封筒１０３に封入する。この状態で、宛名部１００Ｄは、封筒１０３の透明フィルムを通して見ることができる。
【０００６】
そして、このように配送伝票１００を封入した封筒１０３は、粘着剤によって荷物１０５に貼り付けられる。配達員は、配達時に封筒１０３から配送伝票１００を取り出し、受領印部１００Ｃ及び着払い伝票部１００Ｂを持ち帰る。
【特許文献１】実開平５−８６５５７号公報
【発明の開示】
【発明が解決しようとする課題】
【０００７】
しかしながら、上記の配送伝票セットでは、封筒を使用しておりコストが高いという問題点があった。
また、上記配送伝票セットでは、封筒へ配送伝票を挿入したり、封筒から配送伝票を取り出したりする必要があり、作業性が悪いという問題点もあった。
【０００８】
本発明は上記のような事情に基づいて完成されたものであって、コストが低く、かつ作業性の優れた配送伝票セットを提供することを目的とする。
【課題を解決するための手段】
【０００９】
上記の目的を達成するための手段として、請求項１の発明は、宛名記載部が切断可能線によって切断分割可能にされた配送伝票と、この配送伝票を前記宛名記載部が表側となるように折りたたんで荷物上に載置された状態で前記配送伝票を挟むように前記荷物上に重ねられ、前記宛名記載部を目視可能な透光性を有し、かつ、前記荷物側の面に設けられた粘着剤層によって前記荷物の外表面に前記配送伝票と共に貼り付けられる粘着シートと、この粘着シートに形成され前記荷物に貼り付けられた粘着シートの下から前記配送伝票を前記切断可能線から切断分離して取り出し可能にする開封用切断可能線又は開封用スリットとを備えていることを特徴とする配送伝票セットである。
【００１０】
請求項２の発明は、請求項１に記載のものにおいて、前記粘着シートには、剥離シートが剥離可能に粘着されており、前記剥離シートには、これを複数片に分断し、これら複数片のうち少なくとも１片を剥離することで前記粘着シートの前記粘着剤層を部分的に露出可能な切れ目が形成されており、前記粘着シートは、その裏面に部分的に前記剥離シートを残存させた状態で前記配送伝票と粘着されることを特徴とする。
【００１１】
請求項３の発明は、請求項２に記載のものにおいて、前記剥離シートは透光性を有し、前記配送伝票の前記宛名記載部と重なる位置を残すことが可能なように前記切れ目が形成されていることを特徴とする。
【００１２】
請求項４の発明は、請求項２または請求項３に記載のものにおいて、前記粘着シートの開封用切断可能線又は開封用スリットは、前記粘着シートのうち、裏面に部分的に前記剥離シートを残存させる領域内に形成されていることを特徴とする。
【００１３】
請求項５の発明は、請求項１ないし請求項４のいずれかに記載のものにおいて、前記粘着シートには、一端が前記開封用切断可能線又は開封用スリットの延長上に位置する切れ目によりその一部を前記荷物から浮き上がり状態にすることが可能な摘み部が形成されていることを特徴とする。
【００１４】
請求項６の発明は、請求項２ないし請求項５のいずれかに記載のものにおいて、前記剥離シートには、前記摘み部に対応する領域を含んで前記配送伝票の一側縁に沿って延びる帯状の領域を囲むループ状切れ目が形成されており、そのループ状切れ目のうちの少なくとも一部が前記粘着シートの前記開封用切断可能線に連なっているところに特徴を有する。
【００１５】
請求項７の発明は、請求項６に記載のものにおいて、前記剥離シートに形成された前記帯状領域を囲むループ状切れ目は、前記配送伝票の一側縁側の一辺において外側に張り出して形成されているところに特徴を有する。
【００１６】
請求項８の発明は、請求項６または請求項７に記載のものにおいて、前記剥離シートには、前記帯状領域に並行する帯状のマスクテープを前記帯状領域に連なった形で前記粘着シートに残存させるための切れ目が形成されているところに特徴を有する。
【００１７】
請求項９の発明は、請求項１ないし請求項８のいずれかに記載のものにおいて、前記宛名記載部の前記粘着シートが粘着される領域には、前記粘着剤層からの剥離及び再粘着を許容するための剥離剤が塗布されているところに特徴を有する。
【発明の効果】
【００１８】
＜請求項１の発明＞
請求項１に記載の配送伝票セットは、以下のようにして使用される。
まず、配送伝票を宛名記載部が表側となるように切断可能線に沿って折りたたむ。次に配送伝票を荷物上に宛名記載部が表側となるように載置する。
【００１９】
そして、粘着シートは、荷物との間に配送伝票を挟むようにして重ねられ、荷物側の面に設けられた粘着剤層によって荷物の外表面と配送伝票とに貼り付けられる。このようにすると、粘着シートの粘着剤層が宛名記載部の表面と荷物に粘着し、配送伝票が荷物に粘着固定される。このとき粘着シートは宛名記載部を目視可能な透光性を有しているから、宛名記載部に記載された宛名は粘着シートを介して目視することができる。
【００２０】
そして、この状態で荷物は送り先に送付される。荷物を配達したら、配達員は粘着シートの開封用切断可能線または開封用スリットを切断して配送伝票を露出させる。そして、配送伝票を引っ張り出すと、配送伝票の切断可能線が切断されてその断片が分離される。
【００２１】
このように請求項１に記載の発明によれば、封筒が不要であるため、封筒を利用した配送伝票セットに比べてコストが低減される。
また、封筒へ配送伝票を挿入したり、封筒から配送伝票を取り出したりする必要がないため、作業性が向上する。
【００２２】
＜請求項２の発明＞
片側の全面に粘着剤層が露出した粘着シートを配送伝票に貼り付ける場合には、粘着シートと配送伝票との間に空気が入らないように慎重に両者を粘着する必要がある。そうしないと空気溜まり（周縁が粘着されその内部に空気が溜まったもの）が生じ、これがシワとなって、配送伝票に記載された宛先等が見づらくなってしまう。
【００２３】
請求項２に記載の発明によれば、粘着シートの裏面の剥離シートには、この剥離シートを複数片に分断する切れ目が形成されているから、粘着シートの裏面に剥離シートを部分的に残存させることができる。
このように部分的に剥離シートを残存させた粘着シートを配送伝票に粘着した場合、剥離シートが残存した部分では空気溜まりができないためシワにならず、宛名等が見やすい。
【００２４】
＜請求項３の発明＞
請求項３に記載の発明によれば、剥離シートは透光性を有し、配送伝票の宛名記載部と重なる位置を残すことが可能なように切れ目が形成されている。したがって、宛名記載部と重なる位置の剥離シートを残存させた粘着シートを荷物上に載置された配送伝票を貼り付けた場合であっても、宛名記載部が目視できる。
【００２５】
＜請求項４の発明＞
請求項４に記載の発明によれば、粘着シートの開封用切断可能線又は開封用スリットは、粘着シートの裏面に部分的に剥離シートを残存させる領域内に形成されている。
この構成では、粘着シートのうち開封用切断可能線または開封用スリットが形成された領域は荷物には粘着されないから、この領域が荷物に粘着される場合に比べて、切断分離しやすくなる。
【００２６】
＜請求項５の発明＞
請求項５に記載の発明によれば、粘着シートには、一端が開封用切断可能線又は開封用スリットの延長上に位置する切れ目によりその一部を荷物から浮き上がり状態にすることが可能な摘み部が形成されている。したがって、摘み部を摘んで、開封用切断可能線又は開封用スリットが形成されている方向にめくった後、開封用切断可能線を切断することなどによって、容易に配送伝票を露出させて取り出す（以下、開封作業ともいう）ことができる。
【００２７】
＜請求項６の発明＞
請求項６に記載の発明によれば、剥離シートには、摘み部に対応する領域を含んで配送伝票の一側縁に沿って延びる帯状の領域を囲むループ状切れ目が形成され、そのループ状切れ目の少なくとも一部が粘着シートの開封用切断可能線に連なっているから、摘み部を摘んで配送伝票の一側縁に沿って引っ張って粘着シートを、重なっている剥離シートとともに帯状にめくることができ、この作業に次いで開封用切断可能線を切断することができる。したがって、開封作業がより容易となる。
【００２８】
＜請求項７の発明＞
請求項７に記載の配送伝票セットを荷物に貼り付けると、荷物と粘着シートとの間に挟まれた配送伝票は、その一側縁が残存した剥離シートのループ状切れ目の一辺側に配される。そして、開封する際に、摘み部を摘んで、配送伝票の一側縁に沿って引っ張ると、ループ状切れ目に沿って粘着シートとこれに重なる剥離シートがめくられ、配送伝票の一側縁が露出する。
【００２９】
本請求項に記載の発明によれば、剥離シートの帯状領域を囲むループ状切れ目は配送伝票の一側縁が配される側の一辺が外側に張り出して形成されているから、配送伝票の一側縁が露出した際に配送伝票の一側縁と帯状領域の一辺との間には配送伝票を引き出すきっかけとなる隙間が形成される。したがって、その隙間に指を差し入れることで配送伝票を取り出しやすくなり、開封作業がさらに容易となる。
【００３０】
＜請求項８の発明＞
請求項６または請求項７に記載の配送伝票セットを荷物に貼り付ける際には、まず、配送伝票の一側縁が配される一辺を含むループ状切れ目のところで、帯状の領域が残存するように剥離シートを剥離し、粘着シートの粘着剤層を露出させて、粘着シートの一部を荷物に貼り付ける。次いで、配送伝票の一側縁が、前記ループ状切れ目の一辺に配されるように配送伝票を差し込んで位置合わせがなされる。この位置合わせの際に、剥離シートのループ状切れ目のうち差し込み方向における手前に位置する一辺（前記ループ状切れ目の一辺とは反対側の一辺）のところを折り曲げたり、配送伝票を勢いよく差し込むことで粘着剤層が露出することがあり、この露出した粘着剤層に配送伝票が付着する場合がある。
【００３１】
請求項８に記載の発明によれば、剥離シートには、帯状領域に並行する帯状のマスクテープを帯状領域に連なった形で粘着シートに残存させるための切れ目が形成されているから、剥離シートのうち帯状領域とともにマスクテープの部分を残存させて荷物に貼り付けることが可能である。したがって、マスクテープが残存している領域から帯状領域方向に配送伝票を差し込む際に、差し込み方向の手前に帯状のマスクテープが存在するから、この差込動作によって剥離シートのループ状切れ目のうち差し込み方向における手前側の一辺のところで粘着剤層が露出することがない。その結果、配送伝票に粘着剤が付着するのを防ぐことができる。
【００３２】
＜請求項９の発明＞
配送伝票を粘着シートにて荷物に貼り付ける際に、配送伝票と粘着シートの相対位置がずれてしまう場合があり、この場合には粘着シートを貼り直したい。
【００３３】
請求項９に記載の発明によれば、宛名記載部の粘着シートが粘着される領域には、粘着剤層からの剥離及び再粘着を許容するための剥離剤が塗布されているから、一度、粘着シートを宛名記載部に貼り付けたとしても再剥離して貼り直すことができる。
【発明を実施するための最良の形態】
【００３４】
＜実施形態１＞
以下、本発明の実施形態１について図１ないし図１４を参照しつつ説明する。
本実施形態に係る配送伝票セットは、片面に透明な粘着剤層１０Ａを有する透明な粘着シート１０（図４参照）と、この粘着シート１０にて荷物２０に貼り付けられる配送伝票３０（図１参照）とを備えてなる。
【００３５】
配送伝票３０は、紙製で図１に示すように、全体として縦長の略矩形状であり、これをほぼ同形の３片に切断分割するためのミシン目３１，３１（配送伝票を複数片に切断分割するための切断可能線に相当）が２本形成されている。図１の上段の一片が宛名記載部３０Ａとされている。中段及び下段の２片３０Ｂ，３０Ｃは、配達員が配達時に持ち帰る控えや受領印を捺印するためのものとされている。
【００３６】
粘着シート１０は、透明な樹脂製で、配送伝票３０の宛名記載部３０Ａよりも面積大の横長の矩形状とされている。この粘着シート１０は、これと同サイズの透明な剥離シート４０に剥離可能に粘着されている。
【００３７】
粘着シート１０には、図２、４に示すようにその片方の側辺（図２における左辺）寄りの位置にこの側辺に沿った開封用のミシン目１１（本発明の開封用の切断可能線に相当）が形成されている。このミシン目１１は図４に示すように剥離シート４０も貫通している。
【００３８】
剥離シート４０には、図３に示すように、両側辺寄りの位置に、側辺に沿って２つの切れ目４１Ａ，４１Ｂが形成されている。このうち一方の切れ目４１Ａはミシン目１１よりも、図３において右側に形成されており、図８に示すように剥離シート４０を剥離した状態で、ミシン目１１の形成された領域は粘着剤層１０Ａが露出しないようにされている。言い換えれば、ミシン目１１は、粘着シート１０のうち、裏面に部分的に剥離シート４０を残存させる領域内に形成されている。
【００３９】
次に本実施形態の配達伝票セットの使用方法について説明する。
まず、配達伝票３０の宛名記載部３０Ａに宛名を印刷又は筆記し、この配達伝票３０をミシン目に沿って、宛名記載部３０Ａが上面となるように折りたたむ（図５、６参照）。
【００４０】
次に、裏面に剥離シート４０が粘着した状態の粘着シート１０を開封用のミシン目１１で折る。そして、図７に示すように、配達伝票３０を粘着シート１０に挟み込むようにする。このとき、開封用のミシン目１１を折り曲げてできた折り目部分に配達伝票３０の一辺を突き当てる。これにより、配達伝票３０の粘着シート１０に対する位置合わせがなされる。
【００４１】
次に、図８の矢印Ａに示すように剥離シート４０を粘着シート１０から剥離する。すると配達伝票３０は粘着シート１０に部分的に粘着される。さらに図８の矢印Ｂに示すように剥離シート４０を粘着シート１０から剥離し、図９〜１０に示すように、荷物２０に貼り付ける。このようにして配送伝票３０は荷物２０に粘着固定される（なお、図１０において、点描した領域は粘着シート１０の裏面の粘着剤層１０Ａが露出した領域を示し、この粘着剤層１０Ａにより、粘着シート１０は配送伝票３０及び荷物２０に粘着されている）。
【００４２】
このとき、粘着シート１０は透明であるから、宛名記載部３０Ａに記載された宛名は粘着シート１０を介して目視することができる。
【００４３】
そして、配送伝票３０が粘着された荷物２０は送り先に配送される。荷物２０の配達時に配達員は、図１２〜１３に示すように、粘着シート１０の開封用のミシン目１１を切断して配送伝票３０を露出させる。そして、図１４に示すように配送伝票３０を引っ張り出すと、配送伝票３０のミシン目３１が切断されてその断片３０Ｂ，３０Ｃが分離される。
【００４４】
このように本実施形態の配送伝票セットによれば、封筒が不要であるため、封筒を利用した配送伝票セットに比べてコストが低減される。
【００４５】
また、本実施形態の配送伝票セットでは、封筒へ配送伝票３０を挿入したり、封筒から配送伝票３０を取り出したりする必要がないため、作業性が向上する。
【００４６】
ところで、粘着シート１０の裏面の剥離シート４０を全て剥がして、粘着シート１０片側の全面に粘着剤層１０Ａが露出した粘着シート１０を配送伝票３０に貼り付ける場合には、粘着シート１０と配送伝票３０との間に空気が入らないように慎重に両者を粘着する必要がある。そうしないと所々、配送伝票３０と粘着シート１０との間に空気が残った空気溜まりが生じてしまう。この空気溜まりの周縁は粘着されおり、その内部の空気は逃がしにくい。空気を逃がそうとして、粘着シート１０と配送伝票３０とを無理に密着させると、空気溜まりがシワとなって、配送伝票３０に記載された宛先等が見づらくなってしまう。
【００４７】
本実施形態によれば、剥離シート４０には、この剥離シート４０を複数片に分断する切れ目４１が形成されているから、粘着シート１０の裏面に剥離シート４０を部分的に残存させつつ、粘着剤層１０Ａを部分的に露出させることができる（図８参照）。
【００４８】
このように部分的に剥離シート４０を残存させた粘着シート１０を配送伝票３０に粘着した場合、剥離シート４０が残存した部分では空気溜まりができないためシワにならず、宛名等を見やすい。
【００４９】
また、開封用のミシン目１１は、粘着シート１０のうち、裏面に部分的に剥離シート４０を残存させる領域内に形成されている（図３、図８参照）。従って、この構成では、粘着シート１０のうち開封用のミシン目１１が形成された領域は荷物２０には粘着されないから（図１１参照）、この領域が荷物２０に粘着される場合に比べて、開封用のミシン目１１を切断しやすくなる。
【００５０】
＜実施形態２＞
以下、本発明の実施形態２について図１５ないし図２０を参照しつつ説明する。なお、実施形態１と同じ構成については、同一の符号を付し、構造、作用及び効果の説明は省略する。
【００５１】
実施形態２では、図１５に示すように開封用のミシン目１１がＬ字状に形成されている点が主として実施形態１と異なる。
【００５２】
次に本実施形態の配達伝票セットの使用方法について説明する。
まず、実施形態１と同様に、配達伝票３０の宛名記載部３０Ａに宛名を印刷等し、宛名記載部３０Ａが上面となるように折りたたむ（図５、６参照）。
【００５３】
次に、裏面に剥離シート４０が粘着した状態の粘着シート１０を開封用のミシン目１１の一辺１１Ａで折り、実施形態１と同様に、配達伝票３０を粘着シート１０に挟み込むようにする。このとき、一辺１１Ａを折り曲げてできた折り目部分に配達伝票３０の一辺を突き当てて配達伝票３０の粘着シート１０に対する位置合わせをする。
【００５４】
次に、図１７の矢印Ａに示すように剥離シート４０を粘着シート１０から剥離して、配達伝票３０を粘着シート１０に部分的に粘着する。さらに図１７の矢印Ｂに示すように剥離シート４０を粘着シート１０から剥離し、図１８に示すように、荷物２０に貼り付ける。このようにして配送伝票３０は荷物２０に粘着固定される。なお、図１８において、点描した領域は粘着シート１０の裏面の粘着剤層１０Ａが露出した領域を示し、この粘着剤層１０Ａにより、粘着シート１０は配送伝票３０及び荷物２０に粘着されている。
【００５５】
そして、荷物２０の配達時に配達員は、図１９に示すように、粘着シート１０の開封用のミシン目１１を切断して配送伝票３０を露出させる。そして、図２０に示すように配送伝票３０を引っ張り出すと、配送伝票３０のミシン目３１が切断されてその断片３０Ｂ，３０Ｃが分離される。
【００５６】
＜実施形態３＞
以下、本発明の実施形態３について図２１ないし図２７を参照しつつ説明する。なお、実施形態１と同じ構成については、同一の符号を付し、構造、作用及び効果の説明は省略する。
【００５７】
実施形態３では、図２１に示すように、配送伝票３０のうち粘着シート１０が粘着される領域３３（図２１の点描された領域）には、シリコン系剥離剤等の剥離剤が塗布されている点と、図２２に示すように粘着シート１０の開封用のミシン目１１が、粘着シート１０の両側辺寄りの位置に両側辺と略平行に２本形成されている点が主として実施形態１と異なる。
【００５８】
次に本実施形態の配達伝票セットの使用方法について説明する。
まず、実施形態１と同様に、配達伝票３０の宛名記載部３０Ａに宛名を印刷等し、宛名記載部３０Ａが上面となるように折りたたむ（図２４参照）。
【００５９】
次に、図２５に示すように、裏面に剥離シート４０が粘着した状態の粘着シート１０の裏側の所定位置に配送伝票３０を重ね合わせる。
【００６０】
そして、図２５に示すように剥離シート４０を粘着シート１０から剥離して、粘着剤層１０Ａを門形状に露出させて、図２６に示すように宛名記載３０Ａの上辺寄りの領域３３を粘着シート１０に粘着するとともに、図２６に示すように粘着シート１０の上縁部及び左右両縁部を荷物２０に貼り付ける。なお、図２６において、点描した領域は粘着シート１０の裏面の粘着剤層１０Ａが露出した領域を示し、この粘着剤層１０Ａにより、粘着シート１０は配送伝票３０及び荷物２０に粘着されている。
【００６１】
そして、荷物２０の配達時に配達員は、図２７に示すように、粘着シート１０の２本の開封用のミシン目１１を切断して配送伝票３０を露出させて、配送伝票３０を引っ張り出し、配送伝票３０のミシン目３１を切断する。
【００６２】
ところで、配送伝票３０を粘着シート１０にて荷物２０に貼り付ける際に、どうしても配送伝票３０と粘着シート１０の相対位置がずれてしまう場合がある。この場合には貼り直しをする必要がある。
【００６３】
本実施形態の構成によれば、宛名記載部３０Ａの粘着シート１０が粘着される領域３３には、剥離剤が塗布されているから、一度、粘着シート１０を宛名記載部３０Ａに貼り付けたとしても再剥離して貼り直すことができる。
【００６４】
＜実施形態４＞
以下、本発明の実施形態４について図２８を参照しつつ説明する。なお、実施形態１と同じ構成については、同一の符号を付し、構造、作用及び効果の説明は省略する。
【００６５】
実施形態４では、図２８に示すように、粘着シート１０の開封用のミシン目１１がコ字状に形成されている点と、開封用のミシン目１１の両角部には、開封用の開口部１３が形成されている点が実施形態１と異なる。この開封用の開口部１３は、粘着シート１０及び剥離シート４０を貫通するようにくり抜いて形成されている。
【００６６】
なお、本実施形態では、粘着シート１０は、図２８の点描で示されるようにその周縁部で荷物２０と貼り付けられるようにされている。
【００６７】
本実施形態の構成では、開口部１３が形成されているから、ここから指を入れて粘着シート１０を摘んで開封しやすい。
【００６８】
＜実施形態５＞
以下、本発明の実施形態５について図２９ないし３２を参照しつつ説明する。なお、実施形態３と同じ構成については、同一の符号を付し、構造、作用及び効果の説明は省略する。
【００６９】
実施形態５では、図３０に示すように、剥離シート４０の切れ目４１の形状が実施形態３と異なる。
【００７０】
切れ目４１は、図３１に示すように剥離シート４０を剥離した際に露出する粘着剤層１０Ａの露出領域が全体として門形状となり、その梁の中程が内側に張り出した張出露出部１０Ｂとなるように入れられている。張出露出部１０Ｂの幅は、図３２に示すように宛名記載部３０Ａの幅よりも幅狭とされている（図３２では粘着剤層１０Ａの露出領域を点描で表している）。
【００７１】
粘着シート１０は、図３２に示すように、宛名記載部３０Ａの上側縁部のうち左右両角部３０Ｄ，３０Ｄ周りでは粘着されずに、両角部３０Ｄ，３０Ｄ間の領域で張出露出部１０Ｂにて粘着される。
【００７２】
＜実施形態６＞
以下、本発明の実施形態６について図３３ないし図４０を参照しつつ説明する。なお、実施形態３と同じ構成については、同一の符号を付し、構造、作用及び効果の説明は省略する。
【００７３】
実施形態６では、図３４に示すように、剥離シート４０の切れ目４１の形状が実施形態３と異なる。
【００７４】
切れ目４１は、図３４の符号４１Ａで示す第１切れ目と、符号４１Ｂで示す第２切れ目の２つ設けられている。第１切れ目４１Ａから剥離シート４０を部分的に剥離すると粘着シート１０の片方の側縁部に略Ｉ字の形態をもって粘着剤層１０Ａが露出するようにされており、第２切れ目４１Ｂから剥離シート４０を部分的に剥離すると粘着シート１０の他方の側縁部から下縁部にかけて略Ｌ字状の形態をもって粘着剤層１０Ａが露出するようにされている。
【００７５】
次に本実施形態の配達伝票セットの使用方法について説明する。
まず、図３５に示すように、第２切れ目４１Ｂから剥離シート４０を部分的に剥離し、図３６に示すように、粘着シート１０を荷物２０に貼り付ける（図３６では、粘着領域を点描で示している）。これにより荷物２０上に粘着シート１０によってポケットが形成される。
【００７６】
次に図３７に示すように、粘着シート１０と荷物２０の隙間に、折りたたんだ配送伝票３０を差し込み、配送伝票３０の左下角部とポケットの隅とを合致させる。これにより配送伝票３０の粘着シート１０に対する相対的な位置合わせがなされる。
【００７７】
次に、図３８に示すように、第１切れ目４１Ａから剥離シート４０を部分的に剥離し、粘着シート１０を配送伝票３０の右側縁部及び荷物２０に貼り付ける。
【００７８】
このようにして配送伝票３０は荷物２０に粘着固定される（なお、図３８において、点描した領域は粘着シート１０の裏面の粘着剤層１０Ａが露出した領域を示し、この粘着剤層１０Ａにより、粘着シート１０は配送伝票３０及び荷物２０に粘着されている）。
【００７９】
そして、荷物２０の配達時に配達員は、図３９に示すように、粘着シート１０の開封用のミシン目１１，１１を切断して配送伝票３０を露出させる。そして、図４０に示すように配送伝票３０を引っ張り出すと、配送伝票３０のミシン目３１が切断されてその断片３０Ｂ，３０Ｃが分離される。
【００８０】
＜実施形態７＞
以下、本発明の実施形態７について図４４ないし図５３を参照しつつ説明する。
本実施形態に係る配送伝票セットは、粘着シート１０にその一部を荷物から浮き上がり状態にすることが可能な摘み部１６を設け、剥離シート４０に帯状の領域を取り囲むループ状切れ目４２を設けた点が主として、上記実施形態１〜実施形態６と相違する。なお、実施形態１〜６と同じ構成については、同一の符号を付し、重複した部分についての説明は省略する。なお以下の記載において、上下左右は各図による。
【００８１】
配送伝票３０には、図４４に示すように、同形の６片に切断分割可能なミシン目３１が縦方向に１本、横方向に２本形成されており、荷物２０に貼り付けられる際にはこのミシン目３１に沿って折りたたんだ状態で使用される（詳細は後述する）。この配送伝票３０の上段の左側の一片は宛名記載部３０Ａとされ、中段は荷物２０の内容を記載した納品書３０Ｂとされ、下段は、配達員が配達時に持ち帰る控えや受領印を捺印するためのものなどとされている。
【００８２】
粘着シート１０は、透明な樹脂製で、折りたたまれた状態の配送伝票３０よりも一回り大きいサイズとされている。また、粘着シート１０は、これと同じサイズの剥離シート４０に剥離可能に粘着され、その表面には図４７に示すように荷物２０に貼り付ける際の手順を示す白い矢印１７と開封の際の開封方向を示す黒い矢印１８が印刷され、黒い矢印が印刷された部分に隣接して略Ｌ字状の開封用のミシン目１１が設けられている。
【００８３】
さらに、粘着シート１０には、黒い矢印１８の印刷された部分を囲むように、略コの字形状の切れ目を下に重なっている剥離シート４０に貫通するように入れることで、その一部を荷物２０から浮き上がり状態にすることが可能な摘み部１６が形成されている。この摘み部１６はその一部が開封用のミシン目１１と連なっている。
【００８４】
剥離シート４０には、摘み部１６から連なり、配送伝票３０の左側の一辺（本発明における配送伝票の一側縁）に沿って延びる帯状の領域を囲むようにループ状切れ目４２が形成されている（図４８、図５０および図５１を参照）。帯状の領域を囲むループ状切れ目４２のうち右側の切れ目４２Ａの上下の端部からは、剥離シート４０の上下の端部に至る切れ目４１が入れられ、粘着シート１０に印刷された二つの白い矢印１７の間で左側の剥離シート４０と右側の剥離シート４０とに分離可能とされる。
【００８５】
ループ状切れ目４２に取り囲まれた帯状の領域は、荷物２０に貼り付ける際に、粘着シート１０の裏面に剥離シート４０を残存させる領域であり、かつ配送伝票３０を開封する際に上に重なる粘着シート１０とともにめくられて配送伝票３０を露出可能とする開封用補助テープ１５として機能する。この開封用補助テープ１５の長さは、折りたたまれた状態にある配送伝票３０の左右の辺の長さよりやや長めに設定され、その幅は、宛名記載部３０Ａの宛名が目視可能な幅に設定されている。
【００８６】
次に本実施形態の配達伝票セットの使用方法について説明する。
まず、図４５に示すように配達伝票３０を縦方向のミシン目３１に沿って折りたたみ、さらに図４６に示すように宛名記載部３０Ａが上面となるように横方向のミシン目３１に沿っておりたたむ。
【００８７】
次に、図４８に示すように、裏面に剥離シート４０が粘着した状態の粘着シート１０から、左側の剥離シート４０を、ループ状切れ目４２と二つの白い矢印１７の間に設けられた切れ目４１に沿って、開封用補助テープ１５を残存させるように剥離して、略門型状に粘着剤層１０Ａを露出させて荷物２０に貼り付ける。このとき、粘着シート１０は、左側の剥離シート４０を剥離することにより露出した粘着剤層１０Ａによって荷物２０に貼り付けられ、開封用補助テープ１５として機能する帯状の領域はポケット状になっている。
【００８８】
次に、図４９に示すように、右側の剥離シート４０を粘着シート１０から剥離し、配達伝票３０を、ポケット状になっている開封用補助テープとして機能する帯状の領域に差し込み、配送伝票３０の左側縁を開封用補助テープ１５の左側の一辺１５Ｂに沿うように配することで位置合わせがなされる。なお、右側の剥離シート４０を粘着シート１０から剥離する作業は位置合わせの後であっても良い。
【００８９】
次に、右側の剥離シート４０を剥離することで露出した粘着剤層１０Ａを介して配送伝票３０を荷物２０に貼り付ける。このとき、配送伝票３０には、開封用補助テープ１５として機能する帯状の領域を除いて粘着シート１０が粘着しており、粘着シート１０と荷物２０とは、配送伝票３０の全外周縁の外側の部分で粘着している状態にあり、配送伝票３０と荷物２０との間には手指を入れるような隙間はない。
【００９０】
配送伝票３０が粘着された荷物２０は送り先に配送される。荷物２０の配達時に配達員は、粘着シート１０の摘み部１６を摘んで荷物２０から浮き上がらせ、黒い矢印１８の方向（本発明における配送伝票の一側縁に沿った方向）に引っ張る。すると剥離シート４０に形成されたループ状切れ目４２に沿って上に重なっている粘着シート１０が帯状にめくられて、開封用補助テープ１５として機能し、配送伝票３０の一部を露出させる（図５１を参照）。
【００９１】
次に、摘み部１６に連なって設けられている粘着シート１０の開封用のミシン目１１を切断して配送伝票３０を露出させ、配送伝票３０のミシン目３１を切断するとその断片３０Ｂ，３０Ｃが分離される（図５２および図５３を参照）。
【００９２】
以上のように、本実施形態においては、粘着シート１０には開封用のミシン目１１に連なる摘み部１６が設けられ、剥離シート４０には開封用補助テープ１５として機能する帯状領域を粘着シート１０の裏面に残存可能なループ状切れ目４２が設けられているから、摘み部１６を摘んでループ状切れ目４２に沿ってめくった後に開封用のミシン目１１を切断するだけで配送伝票３０の開封作業が行える。したがって本実施形態のように配送伝票３０の全外周の外側が荷物２０に粘着シート１０によって粘着されているような場合であっても配送伝票３０の開封作業が容易である。
【００９３】
また、本実施形態によれば、配送伝票３０を荷物２０に貼り付けられた際に、粘着シート１０と荷物２０とは、配送伝票３０の全外周縁の外側の部分で粘着している状態にあるから、配送伝票３０が雨水などで濡れたり汚れたりするのを防ぐことができる。
【００９４】
＜実施形態８＞
以下、本発明の実施形態８について図５４ないし図６３を参照しつつ説明する。なお、実施形態７と同じ構成については、同一の符号を付し、重複した部分の説明は省略する。
【００９５】
実施形態８では、図５４に示すように、剥離シート４０に開封用補助テープ１５として機能するループ状切れ目４２に並行して帯状のマスクテープ１９を残存させるための切れ目４３を設けた点とループ状切れ目４２の形状が主として実施形態７と異なる。
【００９６】
粘着シート１０には、下に重なっている剥離シート４０に設けられたループ状切れ目４２のうち右側の切れ目４２Ａの上下の端部に相当する位置を始点として、折りたたんだ状態の配送伝票３０の右側縁が配される位置を終点とする二本の開封用のミシン目１１が、粘着シート１０の上下の辺に対して平行に設けられている。
【００９７】
剥離シート４０に設けられたループ状切れ目４２のうち左側の切れ目４２Ｂは、その長さ方向の中央部付近が外側（図５４における左側）に張り出すような形状をなしている。
【００９８】
剥離シート４０に形成された帯状領域（開封用補助テープ１５）を取り囲むループ状切れ目４２のうち配送伝票３０の一側縁が配される側と反対側の一辺は間欠的な切れ目（ミシン目４２Ａ）とされている。また、このミシン目４２Ａの両端を結ぶようにして前記帯状領域（開封用補助テープ１５）とは反対側に張り出す切れ目４３が形成されている（図５５参照）。
【００９９】
具体的には、剥離シート４０には、ループ状切れ目４２のうち右側の切れ目（ミシン目）４２Ａの上下の端部を始点として、図５４における右側に張り出して全体として帯状の形状をなす切れ目４３が設けられている。この切れ目４３とループ状切れ目４２のうち右側の切れ目（ミシン目）４２Ａとで囲まれている部分は、配送伝票３０を差し込んで位置合わせする際に、開封用補助テープ１５に並行して粘着シート１０の裏側に残存し、開封用補助テープ１５が剥がれるのを防止するマスクテープ１９として機能する。なお、ミシン目４２Ａは、マスクテープ１９と開封用補助テープ１５とを連続させると共に、両者がミシン目４２Ａを境にして容易に折ることができるようにしている。
【０１００】
次に、本実施形態の配達伝票セットの使用方法について説明する。
まず、図５６に示すように、粘着シート１０の左側の剥離シート４０を剥離して略門型状に粘着剤層１０Ａを露出させ荷物２０に貼り付ける。このとき実施形態６と同様に開封用補助テープ１５として機能する帯状の領域はポケット状になっている。
【０１０１】
そして右側の剥離シート４０をマスクテープ１９として機能する部分を残存させるように、粘着シート１０から剥離し、配達伝票３０を前述のポケット状になった帯状の領域に対して図５７に示す矢印の方向に差し込む。すると、配送伝票３０の左側縁は、マスクテープ１９として機能する部分を通過した後、ポケット状になっている帯状の領域に至り、配送伝票３０の左側縁を、開封用補助テープ１５の左側の一辺１５Ｂに沿うように配することで位置合わせがなされる。このとき、開封用補助テープ１５の左側の一辺１５Ｂの長さ方向の中央部付近では配送伝票３０の左側縁との間に隙間３４が形成される（図５７、図５８および図６１を参照）。なお、右側の剥離シート４０を粘着シート１０から剥離する作業は位置合わせの後であっても良い。
【０１０２】
ところで、この配送伝票３０を差し込む作業を行う際に、配送伝票３０を、勢いよく差し込んだり、開封用補助テープ１５の右側の一辺１５Ａのところで粘着シート１０を折り曲げたりする場合がある。このような場合には、開封用補助テープ１５として機能する部分の剥離シート４０が右側から剥がされて露出した粘着剤層１０Ａに、配送伝票３０が付着するおそれがある。本発明においては、開封用補助テープ１５に並行して差し込み方向の手前にマスクテープ１９が開封用補助テープ１５に連なって設けられているから、上記のような場合でも、開封用補助テープ１５として機能する剥離シート４０が右側から剥離するのを防ぐことができる。
【０１０３】
次に、右側の粘着シート１０を剥離して露出した粘着剤層１０Ａを介して配送伝票３０を荷物２０に貼り付ける。このとき、粘着シート１０と配送伝票３０とは、開封用補助テープ１５とマスクテープ１９が設けられた部分を除いた部分で接着している（図５９参照）。
【０１０４】
そして、配送伝票３０が粘着された荷物２０は送り先に配送される。荷物２０の配達時に配達員は、図６０に示すように、粘着シート１０の摘み部１６を摘んで荷物２０から浮き上がらせ、黒い矢印１８の方向に引っ張って開封用補助テープ１５をめくりあげ、配送伝票３０の一部を露出させる。すると、帯状の領域に沿ってめくられた粘着シートの端部１０Ｃと配送伝票４０の左側の一辺との間には、配送伝票３０の位置合わせの際に形成された隙間３４が露出する（図６１参照）。
【０１０５】
次に、この隙間３４に手指を差し入れ、配送伝票３０をつまんで粘着シート１０の開封用のミシン目１１に沿って切り取り、配送伝票３０のミシン目３１を切断するとその断片３０Ｂ，３０Ｃが分離される（図６２および図６３参照）。
【０１０６】
以上、本実施形態によれば、剥離シート４０に設けられたループ状切れ目４２のうち左側の切れ目４２Ｂ（配送伝票３０の一側縁が配される側の一辺）は外側に張り出して形成されているから、配送伝票３０の左側縁が露出した際に配送伝票３０の左側縁と帯状の領域の左側の一辺１５Ｂとの間には配送伝票３０を引き出すきっかけとなる隙間３４が形成され、配送伝票３０を引き出すことが容易となり、開封作業の効率が上がる。
【０１０７】
また、本実施形態においては差し込み方向の手前に開封用補助テープ１５に並行してマスクテープ１９が、開封用補助テープ１５に連なった形で設けられているから、開封用補助テープ１５として機能する部分の剥離シート４０が右側から剥がれされて粘着剤層１０Ａが露出することはない。
【０１０８】
さらに、開封用補助テープ１５の右側の一辺１５Ａがミシン目となっていることから、配送伝票３０を差し込む作業をする際に開封用補助テープ１５の右側の一辺１５Ａで折り曲げても粘着剤層１０Ａが露出することがない。
【０１０９】
＜他の実施形態＞
本発明は上記記述及び図面によって説明した実施形態に限定されるものではなく、例えば次のような実施形態も本発明の技術的範囲に含まれる。
（１）上記実施形態では、粘着シート１０の片面全体に粘着剤層１０Ａを設け、粘着剤層１０Ａの一部領域を露出するために剥離シート４０に切れ目４１が入れられているが、粘着シート１０の片面において部分的に粘着剤層１０Ａを塗布したものであってもよい。
【０１１０】
（２）上記実施形態１では、開封用のミシン目１１を、配達伝票３０の粘着シート１０に対する位置合わせ用としても使用しているが、位置合わせ用のミシン目を開封用のミシン目１１と別途に設けてもよい。
また、粘着シート１０と配送伝票３０の双方に、重ね合わせることで粘着シート１０と配送伝票３０の相対的な位置を合わせるための目印が、それぞれ記されていてもよい。
【０１１１】
（３）なお、本発明において、粘着シート１０は樹脂フィルムに限定されず、例えばグラシン紙や、カレンダー（キャレンダー、光沢機）にて繊維を高密度に押しつぶして製造される透明性を有する紙等の光透過率の高い紙であってもよい。また、配送伝票３０は紙に限られず、樹脂フィルムであってもよい。
配送伝票３０の材質を紙とし、粘着シート１０の材質も紙とすれば、使用後の配送伝票セットのリサイクル効率が向上する。
【０１１２】
（４）上記実施形態７においては、配送伝票３０が荷物２０に貼り付けられた際に、粘着シート１０と荷物２０とが、配送伝票３０の全外周縁の外側の部分で接着するような大きさの粘着シート１０を用いたが、実施形態１ないし６のように、配送伝票３０の外周縁の一部と粘着シート１０の外周縁の一部が一致しているような粘着シート１０を備えたものに摘み部１６や開封用補助テープ１５を設けても良い。
【０１１３】
（５）上記実施形態７においては粘着シート１０に摘み部１６として略コの字状をなす切れ目を入れたものを備えたが、摘み部１６の形状はこれに限定されない。その一端が開封用切断可能線または開封用スリットの延長上に位置する切れ目よりその一部を荷物２０から浮き上がり状態にすることが可能であれば、例えば、一本の直線状の切れ目が入れられているだけであってもよい。
【０１１４】
（６）上記実施形態８においては開封用補助テープ１５の左側の一辺１５Ｂが外側に張り出しており、かつマスクテープ１９を備えているものを用いたが、実施形態７に示すような形状の開封用補助テープ１５にマスクテープ１９を備えていてもよいし、マスクテープ１９を備えず、実施形態８に示すような形態の開封用補助テープ１５のみを備えたものであってもよい。
【０１１５】
（７）上記実施形態においては、配送伝票３０を粘着シート１０の下から取り出し可能にするために開封用切断可能線（開封用のミシン目１１）を備えている粘着シート１０を用いたが、本発明においては、開封用切断可能線に代えて開封用スリットを備えている粘着シート１０を用いてもよい。
【図面の簡単な説明】
【０１１６】
【図１】実施形態１の配送伝票の表面図
【図２】裏面に剥離シートが粘着した状態の粘着シートの表面図
【図３】裏面に剥離シートが粘着した状態の粘着シートの裏面図
【図４】裏面に剥離シートが粘着した状態の粘着シートの断面図
【図５】折りたたんだ状態の配送伝票の表面図
【図６】折りたたんだ状態の配送伝票の断面図
【図７】配送伝票セットの使用方法を説明する表面図
【図８】配送伝票セットの使用方法を説明する裏面図
【図９】配送伝票を粘着シートにて荷物に貼り付けた状態を示す斜視図
【図１０】配送伝票を粘着シートにて荷物に貼り付けた状態を示す表面図
【図１１】配送伝票を粘着シートにて荷物に貼り付けた状態を示す断面図
【図１２】開封状態を示す表面図
【図１３】開封状態を示す断面図
【図１４】配送伝票セットの使用方法を説明する表面図
【図１５】実施形態２の、裏面に剥離シートが粘着した状態の粘着シートの表面図
【図１６】裏面に剥離シートが粘着した状態の粘着シートの裏面図
【図１７】配送伝票セットの使用方法を説明する裏面図
【図１８】配送伝票セットの使用方法を説明する表面図
【図１９】配送伝票セットの使用方法を説明する表面図
【図２０】配送伝票セットの使用方法を説明する表面図
【図２１】実施形態３の配送伝票の表面図
【図２２】裏面に剥離シートが粘着した状態の粘着シートの表面図
【図２３】裏面に剥離シートが粘着した状態の粘着シートの裏面図
【図２４】折りたたんだ状態の配送伝票の表面図
【図２５】配送伝票セットの使用方法を説明する裏面図
【図２６】配送伝票セットの使用方法を説明する表面図
【図２７】配送伝票セットの使用方法を説明する表面図
【図２８】実施形態４の配送伝票セットの使用方法を説明する表面図
【図２９】実施形態５の、裏面に剥離シートが粘着した状態の粘着シートの表面図
【図３０】裏面に剥離シートが粘着した状態の粘着シートの裏面図
【図３１】剥離シートを剥離した状態を示す裏面図
【図３２】配送伝票セットの使用方法を説明する表面図
【図３３】実施形態６の、裏面に剥離シートが粘着した状態の粘着シートの表面図
【図３４】裏面に剥離シートが粘着した状態の粘着シートの裏面図
【図３５】配送伝票セットの使用方法を説明する裏面図
【図３６】配送伝票セットの使用方法を説明する表面図
【図３７】配送伝票セットの使用方法を説明する表面図
【図３８】配送伝票セットの使用方法を説明する表面図
【図３９】配送伝票セットの使用方法を説明する表面図
【図４０】配送伝票セットの使用方法を説明する表面図
【図４１】従来例の配送伝票セットの説明図
【図４２】配送伝票を折りたたんだ状態を示す説明図
【図４３】配送伝票を荷物に貼り付ける様子を示す説明図
【図４４】実施形態７の配送伝票の表面図
【図４５】配送伝票を縦に折りたたんだ状態を示す説明図
【図４６】配送伝票を折りたたんだ状態を示す説明図
【図４７】裏面に剥離シートが粘着した状態の粘着シートの表面図
【図４８】左側の剥離シートを剥離した状態の粘着シートの表面図
【図４９】配送伝票セットの使用方法を説明する表面図
【図５０】荷物に貼り付けられた状態の配送伝票セットの斜視図
【図５１】配送伝票セットを開封する方法を説明する斜視図
【図５２】配送伝票の取り出し方を説明する斜視図
【図５３】配送伝票の取り出し方を説明する斜視図
【図５４】実施形態８の裏面に剥離シートが粘着した状態の粘着シートの表面図
【図５５】裏面に剥離シートが粘着した状態の粘着シートの裏面図
【図５６】左側の剥離シートを剥離した状態の粘着シートの表面図
【図５７】配送伝票セットの使用方法を説明する斜視図
【図５８】配送伝票セットの使用方法を説明する斜視図
【図５９】荷物に貼り付けられた状態の配送伝票セットの斜視図
【図６０】配送伝票セットを開封する方法を説明する斜視図
【図６１】配送伝票セットを開封する方法を説明する斜視図
【図６２】配送伝票の取り出し方を説明する斜視図
【図６３】配送伝票の取り出し方を説明する斜視図
【符号の説明】
【０１１７】
１０…粘着シート
１０Ａ…粘着剤層
１１…開封用のミシン目（切断可能線）
２０…荷物
３０…配送伝票
３０Ａ…宛名記載部
３１…ミシン目（切断可能線）
４０…剥離シート
４１…切れ目
【図１】
2006224663.tif 000003
【図２】
2006224663.tif 000004
【図３】
2006224663.tif 000005
【図４】
2006224663.tif 000006
【図５】
2006224663.tif 000007
【図６】
2006224663.tif 000008
【図７】
2006224663.tif 000009
【図８】
2006224663.tif 000010
【図９】
2006224663.tif 000011
【図１０】
2006224663.tif 000012
【図１１】
2006224663.tif 000013
【図１２】
2006224663.tif 000014
【図１３】
2006224663.tif 000015
【図１４】
2006224663.tif 000016
【図１５】
2006224663.tif 000017
【図１６】
2006224663.tif 000018
【図１７】
2006224663.tif 000019
【図１８】
2006224663.tif 000020
【図１９】
2006224663.tif 000021
【図２０】
2006224663.tif 000022
【図２１】
2006224663.tif 000023
【図２２】
2006224663.tif 000024
【図２３】
2006224663.tif 000025
【図２４】
2006224663.tif 000026
【図２５】
2006224663.tif 000027
【図２６】
2006224663.tif 000028
【図２７】
2006224663.tif 000029
【図２８】
2006224663.tif 000030
【図２９】
2006224663.tif 000031
【図３０】
2006224663.tif 000032
【図３１】
2006224663.tif 000033
【図３２】
2006224663.tif 000034
【図３３】
2006224663.tif 000035
【図３４】
2006224663.tif 000036
【図３５】
2006224663.tif 000037
【図３６】
2006224663.tif 000038
【図３７】
2006224663.tif 000039
【図３８】
2006224663.tif 000040
【図３９】
2006224663.tif 000041
【図４０】
2006224663.tif 000042
【図４１】
2006224663.tif 000043
【図４２】
2006224663.tif 000044
【図４３】
2006224663.tif 000045
【図４４】
2006224663.tif 000046
【図４５】
2006224663.tif 000047
【図４６】
2006224663.tif 000048
【図４７】
2006224663.tif 000049
【図４８】
2006224663.tif 000050
【図４９】
2006224663.tif 000051
【図５０】
2006224663.tif 000052
【図５１】
2006224663.tif 000053
【図５２】
2006224663.tif 000054
【図５３】
2006224663.tif 000055
【図５４】
2006224663.tif 000056
【図５５】
2006224663.tif 000057
【図５６】
2006224663.tif 000058
【図５７】
2006224663.tif 000059
【図５８】
2006224663.tif 000060
【図５９】
2006224663.tif 000061
【図６０】
2006224663.tif 000062
【図６１】
2006224663.tif 000063
【図６２】
2006224663.tif 000064
【図６３】
2006224663.tif 000065